(57)【要約】      （修正有）【課題】一本のケーシングパイプに深井戸用の水中ポンプと深井戸用の手押しポンプ用の揚水装置を取付けて揚水するタンデム式手押しポンプを提供する。【解決手段】手押しポンプ４または水中ポンプ１２との流路を切り換える切換弁７を取付けた揚水パイプ８と、ポンプ機構を内蔵したシリンダ筒２８の外側で同心円状に外筒１６を取付け、該外筒とシリンダ筒２８の間に、水中ポンプ揚水路と手押しポンプ揚水路とをそれぞれ設けた複合揚水ユニット装置１５と、複合揚水ユニットの下部に取付けて揚水するモーターで駆動する水中ポンプ１２とからなり、揚水パイプ８の下部に複合揚水ユニット１５と水中ポンプ１２をそれぞれ連結し、揚水パイプ８に取付けた切換弁７の操作により手押しポンプ４または水中ポンプ１２のいずれかを作動させてそれぞれ地下水を揚水可能に形成してある。【選択図】図１
0003178691.tif 000002
【実用新案登録請求の範囲】
【請求項１】
手押しポンプ（４）または水中ポンプ（１２）の流路を切り換える切換弁（７）を有した分岐管（６）の垂直方向に連結した揚水パイプ（８）と、
ポンプ機構（３０）を内蔵したシリンダ筒（２８）の外側に同心円状に配した外筒（１６）を取付け、該外筒と該シリンダ筒の間に水中ポンプ用揚水路（Ｘ）と手押しポンプ用揚水路（Ｙ）をそれぞれ設けた複合揚水ユニット（１５）と、
前記複合揚水ユニット（１５）の下部に取付けて揚水する前記水中ポンプ（１２）とからなり、
前記揚水パイプ（８）は、その下部に複合揚水ユニット（１５）と水中ポンプ（１２）を垂直方向に連結し、その上部に連結した分岐管（６）に設けた前記切換弁（７）の切換操作により手押しポンプ（４）または水中ポンプ（１２）のいずれかを作動させて地下水を揚水可能に形成してなることを特徴とするタンデム式手押しポンプ。
【請求項２】
前記手押しポンプ（４）は、作動ハンドル（５）の一端に軸支したポンプ軸（５ａ）にポンプ弁座（８ａ）を開閉する弁体（１０）を軸支し、このポンプ軸（５ａ）の下端に前記揚水パイプ（８）に挿通したピストン軸（９）の上端を連結し、該ピストン軸の下端に前記複合揚水ユニット（１５）を構成するシリンダ筒（２８）に内蔵したポンプ機構（３０）の摺動筒部（５３）を連結してなり、前記作動ハンドル（５）を上下動させることにより前記ポンプ機構が作動して地下水を揚水可能にしてなることを特徴とする請求項１記載のタンデム式手押しポンプ。  
【請求項３】
前記複合揚水ユニット（１５）は、外筒（１６）の下端に揚水路（１８）と吸込口（１９）を有した下部支持筒（１７）を取付け、上端には筒孔（２５）を有した上部支持筒（２４）を取付け、前記ポンプ機構（３０）を内蔵したシリンダ筒（２８）の下端には吸込孔（３２）と固定弁座（３３）を有した下部連結筒（３１）を取付け、上端に流通孔（４２）を有した上部連結筒（４１）を取付け、前記外筒（１６）の下部支持筒（１７）とシリンダ筒（２８）の下部連結筒（３１）との間に、一端を下部支持筒（１７）の吸込口（１９）に連結した吸込パイプ（３８）の上端を下部連結筒（３１）に取付け、前記外筒（１６）の上部支持筒（２４）とシリンダ筒（２８）の上部連結筒（４１）との間に連通口（４５）を有した連結筒（４４）を連結して前記シリンダ筒（２８）を支持してなることを特徴とする請求項１記載のタンデム式手押しポンプ。
【請求項４】
前記ポンプ機構（３０）は、シリンダ筒（２８）の下端に取付けた吸込孔（３２）と固定弁座（３３）を有した下部連結筒（３１）と、前記手押しポンプ（４）の作動ハンドル（５）に連結したピストン軸（９）の下端に取付けた作動弁体（５１）とからなり、前記下部連結筒（３１）は、吸込孔（３２）の内縁上端に設けた固定弁座（３３）を開閉する下部弁体（３４）を上下動可能に保持する弁保持部（３５）を取付け、該弁保持部の周面に前記吸込パイプ（３８）から吸引した地下水をシリンダ筒（２８）内に送る流入孔（３６）を設けてなり、前記作動弁体（５１）は、下面を開口した摺動筒部（５３）の上方に弁収容室（５４）を形成し、前記作動弁体（５１）の上端にピストン軸（９）の下端を連結し、前記弁収容室（５４）に位置した上部弁体（５８）を前記摺動筒部の下部に吸込孔（６０）の内縁上端に設けた弁座（６１）を有した弁座筒（５９）で上下動可能に収容し、作動弁体（５１）の上下動により上部弁体５８で弁座（６１）を開閉可能に形成してなることを特徴とする請求項１ないし３のいずれか１記載のタンデム式手押しポンプ。
【請求項５】
前記複合揚水ユニット（１５）に設けた水中ポンプ用揚水路（Ｘ）は、水中ポンプ（１２）の揚水口（１３）から地下水を吸い込んで下部支持筒（１７）の揚水路（１８）から支持リング（２１）の孔（２２）を通って外筒（１６）とシリンダ筒（２８）との間に設けた流路（２７）を通って連結筒（４４）の連通口（４５）から揚水パイプ（８）内に揚水されて切換弁（７）を介して水中ポンプ（１２）の吐出口（Ｍ）から流出され、手押しポンプ用揚水路（Ｙ）は、手押しポンプ（４）の作動ハンドル（５）を上下動させてポンプ軸（５ａ）とピストン軸（９）により連結したポンプ機構（３０）の作動弁体（５１）がシリンダ筒（２８）内を上昇すると、下部連結筒（３１）の固定弁座（３３）を閉口している下部弁体（３４）が負圧で上昇して固定弁座（３３）を開口し、地下水が吸込孔（３２）から固定弁座（３３）を介して弁保持部（３５）の流入孔（３６）からシリンダ筒（２８）内に一定量が揚水され、作動弁体（５１）が降下すると、その負圧で下部弁体（３４）が降下して固定弁座（３３）を閉口すると同時に、シリンダ筒（２８）内の地下水の圧力で作動弁体（５１）の上部弁体（５８）が上昇して弁座（６１）を開口し、地下水は弁収容室（５４）から給水孔（５７）を通ってシリンダ筒（２８）の上方に揚水され、作動弁体（５１）がこのピストン運動を繰返すことにより、地下水を順次上部連結筒（４１）から連結筒（４４）と揚水パイプ（８）を通ってポンプ弁座（８ａ）から手押しポンプ（４）に送られて吐出口（Ｎ）から流出させることを特徴とする請求項１または３記載のタンデム式手押しポンプ。
【考案の詳細な説明】
【技術分野】
【０００１】
本考案は、深井戸用の水中ポンプと深井戸用手押しポンプを取付けた共用型ポンプ装置の改良に関する。
【背景技術】
【０００２】
従来、地下水を揚水する手押しポンプには、井戸の水位が８メートル未満の浅井戸用の手押しポンプと、８メートルより深い井戸に使用する深井戸用手押しポンプとがある。しかし、深井戸用に使用される手押しポンプは、ポンプ操作に力が必要であることから浅井戸用手押しポンプのごとく、簡単に揚水することは困難である。そのため、多くの深井戸には、電動で揚水するモーターポンプ（以下、水中ポンプという）が使用されている。
【０００３】
また、深井戸用に掘削した井戸は、壁面崩れを防止すると共に保護するためケーシングパイプやスクリーンパイプ（以下、ケーシングパイプという。）が使用されている。このケーシングパイプの内径は、地下水を汲み上げるための水脈に水没させる水中ポンプ、または、手押しポンプのポンプ装置が挿入可能な口径を有するケーシングパイプ、例えば、４〜６インチ（約１０〜１５ｃｍ）径のものが多く使用されている。
【０００４】
一方、昨今は災害に備えた自衛意識の高まりや省エネ意識の高まり、または水不足に対応するため、さらには深井戸は地下水が枯渇するおそれが少ないことなどにより、電源を使用しない深井戸用手押しポンプが見直されている。そこで、深井戸用の水中ポンプに深井戸用手押しポンプを取付けて併用するものが知られている。
【先行技術文献】
【特許文献】
【０００５】
【特許文献１】特開２００８−６３９７８号公報
【考案の概要】
【考案が解決しようとする課題】
【０００６】
併用型の深井戸ポンプ６４は、図１１に示すごとく、ケーシングパイプ７５内にモーターポンプ６５用の水中ポンプ６６を取付けた揚水パイプ６７と、手押しポンプ用７０のポンプ装置７１を取付けた揚水パイプ７２との２本をそれぞれ挿通して取付けてある。そのため、口径の広い、例えば６インチ（約１５ｃｍ）以上のケーシングパイプ７５を使用した深井戸にしか併用型の深井戸ポンプ６４を取付けることができなかった。
【０００７】
しかし、深井戸用に使用されるケーシングパイプの多くは、経済コストの面から圧倒的に４インチ（約１０ｃｍ）径を有するケーシングパイプが使用されている。そのため、口径の狭い４インチのケーシングパイプに水中ポンプ用の揚水パイプ６７と手押しポンプ用の揚水パイプ７２の二本の揚水パイプを取付けることは不可能であった。
【０００８】
本考案は、共用型深井戸ポンプ装置において、手押しポンプ用のポンプ装置７１と、深井戸用の水中ポンプの揚水路を手押しポンプ用のポンプ装置とを纏めて形成し、該ポンプ装置７１と水中ポンプ６６とを垂直方向に位置して取付けることにより、狭い４インチ径の深井戸用ケーシングパイプ内に装着可能に形成することにより、既存する多くの深井戸に取付けることができ、通常は水中ポンプを使用して揚水し、災害時や庭木の水やりなどの省エネ時には手押しポンプを使用して揚水することができるタンデム式手押しポンプを提供する。さらに、従来の深井戸水中ポンプは多くの場合、一般家庭の電力を利用して揚水する水中ポンプを使用しているため、地震などの災害時に停電になると使用できなくなるが、本考案はソーラ―電源を利用し、ソーラパネルからの電力により該深井戸用水中ポンプを利用できるようにした点に特徴を有する。しかし、ソーラ−電源を利用する場合、天候が悪いと効率よく使用できなくなるが、本考案はそのような場合にも、人力により深井戸用手押しポンプを利用できるため、災害に強いポンプを提供するものである。
【課題を解決するための手段】
【０００９】
本考案は上記課題を解決するため、手押しポンプ４または水中ポンプ１２の流路を切り換える切換弁７を有した分岐管６の垂直方向に連結した揚水パイプ８と、ポンプ機構３０を内蔵したシリンダ筒２８の外側に、同心円状に配した外筒１６を取付け、該外筒と該シリンダ筒の間に水中ポンプ用揚水路Ｘと手押しポンプ用揚水路Ｙをそれぞれ設けた複合揚水ユニット１５と、前記複合揚水ユニット１５の下部に取付けて揚水する水中ポンプ１２とからなり、前記揚水パイプ８は、その下部に複合揚水ユニット１５と水中ポンプ１２を垂直方向に連結し、その上部に連結した分岐管６に設けた前記切換弁７の切換操作により手押しポンプ４または水中ポンプ１２のいずれかを作動させて地下水を揚水可能に形成してなることを特徴とする。また、前記手押しポンプ４は、作動ハンドル５の一端に軸支したポンプ軸５ａにポンプ弁座８ａを開閉する弁体１０を軸支し、このポンプ軸５ａの下端に前記揚水パイプ８に挿通したピストン軸９の上端を連結し、該ピストン軸の下端に前記複合揚水ユニット１５を構成するシリンダ筒２８に内蔵したポンプ機構３０の摺動筒部５３と連結してなり、前記作動ハンドル５を上下動させることにより前記ポンプ機構が作動して地下水を揚水可能に形成してなることを特徴とする。さらに、前記複合揚水ユニット１５は、外筒１６の下端に揚水路１８と吸込口１９を有した下部支持筒１７を取付け、上端には筒孔２５を有した上部支持筒２４を取付け、前記ポンプ機構３０を内蔵したシリンダ筒２８の下端には吸込孔３２と固定弁座３３を有した下部連結筒３１を取付け、上端に流通孔４２を有した上部連結筒４１を取付け、前記外筒１６の下部支持筒１７とシリンダ筒２８の下部連結筒３１との間に、一端を下部支持筒１７の吸込口１９に連結した吸込パイプ３８の上端を下部連結筒３１に取付け、前記外筒１６の上部支持筒２４とシリンダ筒２８の上部連結筒４１との間に連通口４５を有した連結筒４４を連結して前記シリンダ筒２８を支持してなることを特徴とする。さらにはまた、前記ポンプ機構３０は、シリンダ筒２８の下端に取付けた吸込孔３２と固定弁座３３を有した下部連結筒３１と、前記手押しポンプ４の作動ハンドル５に連結したピストン軸９の下端に取付けた作動弁体５１とからなり、前記下部連結筒３１は、吸込孔３２の内縁上端に設けた固定弁座３３を開閉する下部弁体３４を上下動可能に保持する弁保持部３５を取付け、該弁保持部の周面に前記吸込パイプ３８から吸引した地下水をシリンダ筒２８内に送る流入孔３６を設けてなり、前記作動弁体５１は、下面を開口した摺動筒部５３の上方に弁収容室５４を形成し、前記作動弁体５１の上端にピストン軸９の下端を連結し、前記弁収容室５４に位置した上部弁体５８を前記摺動筒部の下部に吸込孔６０の内縁上端に設けた弁座６１を有した弁座筒５９で上下動可能に収容し、作動弁体５１の上下動により上部弁体５８で弁座６１を開閉可能に形成してなることを特徴とする。また、前記複合揚水ユニット１５に設けた水中ポンプ用揚水路Ｘは、水中ポンプ１２の揚水口１３から地下水を吸い込んで下部支持筒１７の揚水路１８から支持リング２１の孔２２を通って外筒１６とシリンダ筒２８との間に設けた流路２７を通って連結筒４４の連通口４５から揚水パイプ８内に揚水されて切換弁７を介して水中ポンプ１２の吐出口Ｍから流出され、手押しポンプ用揚水路Ｙは、手押しポンプ４の作動ハンドル５を操作してポンプ軸５ａとピストン軸９により連結したポンプ機構３０の作動弁体５１がシリンダ筒２８内を上昇させると、下部連結筒３１の固定弁座３３を閉口している下部弁体３４が負圧で上昇して固定弁座３３を開口し、地下水は吸込孔３２から固定弁座３３を介して弁保持部３５の流入孔３６からシリンダ筒２８内に一定量の地下水が揚水され、作動弁体５１が降下する負圧で、下部弁体３４が降下して固定弁座３３を閉口すると同時に、シリンダ筒２８内の地下水の圧力で作動弁体５１の上部弁体５８が上昇して弁座６１を開口し、地下水は弁収容室５４から給水孔５７を通ってシリンダ筒２８の上方に揚水され、作動弁体５１がこのピストン運動を繰返すことにより、地下水を順次上部連結筒４１から連結筒４４と揚水パイプ８を通ってポンプ弁座８ａから手押しポンプ４に送られて吐出口Ｎから流出させることを特徴とする
【考案の効果】
【００１０】
本考案のタンデム式手押しポンプは、深井戸用の水中ポンプ１２と深井戸用の手押しポンプ４のポンプ機構３０を垂直方向に連結し、且つ、内部に水中ポンプ用揚水路Ｘと手押しポンプ用揚水路Ｙを別回路に設けて縦長の複合揚水ユニット１５を形成したことにより、従来の深井戸用のケーシングパイプに本願のタンデム式手押しポンプ１を容易に取付けることができる。複合揚水ユニット１５と水中ポンプ１２と地上に位置した手押しポンプ４または水中ポンプ１２とを連通した揚水パイプ８をそれぞれ同一軸心上に連結したことにより、径の細い４インチ（約１０ｃｍ）径のケーシングパイプにそのまま使用することができる。さらに、本願のタンデム式手押しポンプ１を使用して新たに井戸ポンプを掘削する場合、４インチ径の細いケーシングパイプにすることができるので掘削費用を安価にできて経済的である。
【図面の簡単な説明】
【００１１】
【図１】本考案に係るタンデム式手押しポンプの全体図である。
【図２】複合揚水ユニットの要部拡大断面図である。
【図３】図２のＡ―Ａ線断面図である。
【図４】図２のＢ―Ｂ線断面図である。
【図５】図２のＣ―Ｃ線断面図である。
【図６】シリンダ筒に設けたポンプ機構の要部拡大断面図である。
【図７】水中ポンプ用揚水路の流路図である。
【図８】水中ポンプ用揚水路の要部拡大断面図である。
【図９】手押しポンプ用揚水路の流路図である。
【図１０】手押しポンプ用揚水路の要部拡大断面図である。
【図１１】従来の深井戸に水中ポンプと手押しポンプを取付けた使用状態を示す説明図である。
【考案を実施するための形態】
【００１２】
本考案の実施の形態を図面により説明すると、図１は本考案に係るタンデム式手押しポンプの全体図、図２は複合揚水ユニットの要部拡大断面図、図３は図２のＡ―Ａ線断面図、図４は図２のＢ―Ｂ線断面図、図５は図２のＣ―Ｃ線断面図、図６はシリンダ筒に設けたポンプ機構の要部拡大断面図である。タンデム式手押しポンプ１は、深井戸用のケーシングパイプ２（好ましくは、４インチ径（約１０ｃｍ）のパイプ）の地上部に設けた基台３に手押しポンプ４と水中ポンプ１２とを、切換弁７を取付けた分岐管６で連結し、該分岐管の垂直管部６ａの下端と、ケーシングパイプ２内に挿通した揚水パイプ８の上端とを連結し、前記揚水パイプ８の下端に水中ポンプ用揚水路Ｘ（図８）と、手押しポンプ用揚水路Ｙ（図１０）をそれぞれ有した複合揚水ユニット１５と前記水中ポンプ１２を垂直方向に連結して形成してある。
【００１３】
前記揚水パイプ８に挿通したピストン軸９は、手押しポンプ４の作動ハンドル５に一端を軸支したポンプ軸５ａにポンプ弁座８ａを開閉する弁体１０を軸支し、このポンプ軸５ａの下端と、前記ピストン軸９の上端とを連結し、該ピストン軸９の下端は前記複合揚水ユニット１５を構成するシリンダ筒２８に内蔵したポンプ機構３０の摺動筒部５３に連結してなり、前記作動ハンドル５を上下動させることにより、ポンプ機構３０の摺動筒部５３が上下動して地下水を揚水可能に形成してある。
【００１４】
水中ポンプ用揚水路Ｘと手押しポンプ用揚水路Ｙを内蔵した複合揚水ユニット１５と水中ポンプ１２とを垂直方向の同一軸心上に連結して形成したことにより、複合揚水ユニットの径（約９ｃｍ）を細く形成することができるので、深井戸用のケーシングパイプとして一般に広く使用されている４インチ（約１０ｃｍ）径のケーシングパイプを使用した深井戸に取付けることができる。
【００１５】
前記複合ユニット１５は、図２から６に示すごとく、長尺な外筒１６とポンプ機構３０を内蔵したシリンダ筒２８とをそれぞれ異径に形成し、外筒１６の下端に揚水路１８と１又は複数の吸込口１９を有した下部支持筒１７を取付け、該外筒１６の上端には中心に筒孔２５を有した上部支持筒２４をそれぞれ取付けて形成してある。
【００１６】
シリンダ筒２８は、図２に示すごとく、下端に吸込孔３２と固定弁座３３を有した下部連結筒３１を取付け、上端に流通孔４２を有した上部連結筒４１を取付けて該上部連結筒４１と外筒１６の上部支持筒２４との間に連通口４５を有した連結筒４４を連結してある。さらに、前記シリンダ筒２８の下部連結筒３１と外筒１６の下部支持筒１７との間に、先端に複数の吸込口１９を有した吸込パイプ３８を取付けて外筒１６とシリンダ筒２８を同心円状に支持し、外筒１６とシリンダ筒２８との間に水中ポンプ用揚水路Ｘの流路２７を設けてある。
【００１７】
前記吸込パイプ３８は、下方をＴ字型に分岐して下端を前記下部支持筒１７の側面に設けた複数の吸込口１９にそれぞれ連結し、上端をシリンダ筒２８の下部連結筒３１の吸込孔３２に接続し、吸込パイプ３８の垂直部分の外周を下部支持筒１７の上端に取付けた支持リング２１で支持してある。前記支持リング２１は、図５に示すごとく、支持リングの周縁垂直方向に複数の孔２２を設けて水中ポンプ用揚水路Ｘの揚水路を形成している。
【００１８】
水中ポンプ用揚水路Ｘは、図７、８に示すごとく、水中ポンプ１２に取付けたモータの駆動により地下水を揚水口１３から吸込み、該水中ポンプの上端に設けた連結筒部１４を通って複合ユニット１５の下端に設けた下部支持筒１７の揚水路１８に送水され、該揚水路から支持リング２１の孔２２を抜けて外筒１６とシリンダ筒２８との間に設けた流路２７を通ってシリンダ筒２８の上方に流れ、外筒１６とシリンダ筒２８を連結した連結筒４４の連通口４５から揚水パイプ８を通って吸い上げられて切換弁７を介して水中ポンプ１２の吐出口Ｍから外部に流出する。
【００１９】
前記水中ポンプ用揚水路Ｘにおいて、連結筒４４の連通口４５から揚水パイプ８に揚水された地下水の一部はシリンダ筒２８内に入って作動弁体５１の給水孔５７に流入し、上部弁体５８を下方に加圧して弁座６１を閉口することにより地下水の逆流を防止している。
【００２０】
前記ポンプ機構３０は、図２、６に示すごとく、シリンダ筒２８の下端に取付けた下部連結筒３１と、前記手押しポンプ４の作動ハンドル５に連結したピストン軸９の下端に取付けた作動弁体５１とからなる。そして、前記下部連結筒３１は、中央に設けた吸込孔３２の内縁上端に固定弁座３３を形成し、該固定弁座の上方に下部弁体３４を上下動可能に保持する弁保持部３５が取付けてあり、該弁保持部の周面には前記吸込パイプ３８から揚水した地下水をシリンダ筒２８内に送る流入孔３６を設けてある。
【００２１】
前記作動弁体５１は、下面を開口して外周面に複数のシールパッキン５６を有した摺動筒部５３と、中央に設けた吸込孔６０の内縁上端に弁座６１を有した弁座筒５９と、該弁座筒と摺動筒部５３との間に設けた収容室に収容する上部弁体５８とからなり、前記摺動筒部５３は、上方に上部弁体５８を収容する弁収容室５４を形成し、該弁収容室の上端中央にピストン軸９の下端を連結する連結凸部５５を設け、該連結凸部の周縁には地下水が流通する給水孔５７をそれぞれ設けてある。
【００２２】
前記摺動筒部５３の弁収容室５４内に位置した上部弁体５８は、摺動筒部５３の下端開口部内に取り付けた弁座筒５９の上部に上部弁体５８を上下動可能に収容し、シリンダ筒２８内を流通する地下水の水圧と作動弁体５１のピストン運動により上部弁体５８が上下動して弁座６１を開閉可能に取付けてある。
【００２３】
手押しポンプ４による地下水の吸い上げは、図９、１０に示すごとく、分岐管６の切換弁７を切換えて水中ポンプ１２側を閉口し、手押しポンプ４側を開口する。次いで、手押しポンプ４の作動ハンドル５を操作して複合揚水ユニット１５内のシリンダ筒２８に内蔵したポンプ機構３０により揚水する。ここで弁体１０は、分岐管６の垂直管部６ａ及び用水パイプ８内に上下方向に挿通したピストン軸９の上部に挿通して、作動ハンドル５が、図７に示すように上方に位置すると、該垂直管部の上端開口６ｂを閉口するように装着してある。そして、作動ハンドル５を上方から下げるとハンドル軸９が上昇し、前記上端開口６ｂを開口するように構成してある。
【００２４】
作動ハンドル５を上下に操作してピシトン軸９を介してポンプ機構３０の作動弁体５１を上昇させると、シリンダ筒２８内の下部連結筒３１と作動弁体５１との間に生じた負圧により上部弁体５８は降下して弁座６１を閉口し、下部連結筒３１の下部弁体３４は、負圧により上昇して固定弁座３３を開口する（図６）。
【００２５】
固定弁座３３が開口すると、地下水は吸込パイプ３８を通って下部連結筒３１の吸込孔３２に入り、弁保持部３５の流入孔３６を通って作動弁体５１と下部連結筒３１との間のシリンダ筒２８内に一定量の地下水が流入する。
【００２６】
次いで、ピストン軸９を介して作動弁体５１が降下すると、下部連結筒３１の下部弁体３４は、作動弁体５１が降下する圧力で固定弁座３３を閉口し、シリンダ筒２８内の地下水が戻るのを防止すると同時に、作動弁体５１の上部弁体５８がシリンダ筒２８内の地下水の水圧により上昇して弁座６１を開口する。
【００２７】
作動弁体５１が降下すると、シリンダ筒２８内の水圧により上部弁体５８は押し上げられて弁座６１を開口すると、該シリンダ筒内の地下水は摺動筒部５３の弁収容室５４から吸水孔５７を通ってシリンダ筒２８の上方に揚水される。
【００２８】
さらに、上下動する作動ハンドル５を下方に押し下げるとピストン軸９は上昇し、作動弁体５１がシリンダ筒２８内を上昇すると、作動弁体５１と下部連結筒３１との間に生じた負圧により作動弁体５１の上部弁体５８は弁座６１を閉口し、下部弁体３４は、下部連結筒３１の固定弁座３３を開口して地下水をシリンダ筒２８内に流入させる。この動作を繰返すことにより、地下水は順次汲み上げられて該シリンダ筒から連結筒４４を通過して揚水パイプ８内を通って手押しポンプ４の吐出口Ｎから地下水を流出させることができる。
【００２９】
以下、本考案の実施の形態の作用について説明すると、タンデム式手押しポンプ１は、地下水を汲み上げる揚水パイプ８の上端に、手押しポンプ４と水中ポンプ１２を位置し、前記揚水パイプ８の下端に複合揚水ユニット１５と水中ポンプ１２を垂直方向に連結して形成してある。
【００３０】
したがって、深井戸用のケーシングパイプとして広く普及している４インチ（約１０ｃｍ）径の深井戸に使用することができるので便利である。また、新たに深井戸を掘る場合、径の太いケーシングパイプを使用することなく、径の細い安価な４インチ径のケーシングパイプを使用することができるのでコストが安価で経済的である。
【００３１】
タンデム式手押しポンプ１において、水中ポンプ１２を作動させて揚水する場合、図７に示すごとく、作動ハンドル５を上方に作動してポンプ軸５ａを降下させると弁体１０でポンプ弁座８ａを閉口し、切換弁７を切換操作して水中ポンプ１２側を開口すると手押しポンプ４側は閉回路となる。次いで、水中ポンプ１２を駆動して地下水を揚水口１３から揚水する。
【００３２】
水中ポンプ１２で揚水された地下水は、複合揚水ユニット１５の水中ポンプ用揚水路Ｘを通って揚水される。水中ポンプ用揚水路Ｘは、図２、８に示すごとく、揚水口１３から水中ポンプ１２の上端に設けた連結筒部１４を通って複合ユニット１５の下端に設けた下部支持筒１７の揚水路１８に送水され、該揚水路から支持リング２１の孔２２を通って外筒１６とシリンダ筒２８との間に設けた流路２７を通り、シリンダ筒２８の上方に揚水され、外筒１６とシリンダ筒２８を連結している連結筒４４の連通口４５から揚水パイプ８を通って吸い上げられて切換弁７を介して水中ポンプ１２の吐出口Ｍから流出する。
【００３３】
手押しポンプ４を使用する場合は、図９に示すごとく、切換弁７を切り換えて水中ポンプ１２側を閉口して手押しポンプ４側を開口し、手押しポンプ４の作動ハンドル５を上下動させるとポンプ軸５ａとピストン軸９が連動して複合ユニット１５のシリンダ筒２８に内蔵したポンプ機構３０をピストン運動させて地下水を揚水する。
【００３４】
作動ハンドル５の操作により作動するポンプ機構３０は、図６に示すごとく、作動弁体５１がシリンダ筒２８内を上昇すると、作動弁体５１と下部連結筒３１との間に負圧が生じて作動弁体５１の上部弁体５８が弁座６１を閉口し、下部連結筒３１の下部弁体３４は負圧により上昇して固定弁座３３を開口する。固定弁座３３が開口すると地下水は、下部連結筒３１の吸込孔３２から弁保持部３５の流入孔３６を通って作動弁体５１と下部連結筒３１との間のシリンダ筒２８内に一定量が流入する。
【００３５】
次いで、作動ハンドル５を上方に移動してシリンダ軸９の下部に連結したに作動弁体５１が降下すると、シリンダ筒２８内に溜った地下水の水圧で下部連結筒３１の下部弁体３４が固定弁座３３を閉口すると同時に、ポンプ軸５ａに取り付けた弁体１０が手押しポンプ４の下部に設けたポンプ弁座８ａを閉口し、揚水パイプ８内の負圧を維持してシリンダ筒２８内の地下水が戻るのを防止すると共に、作動弁体５１の上部弁体５８をシリンダ筒２８内の地下水の水圧により押し上げて弁座６１を開口する。作動弁体５１が降下しながら弁座６１を開口すると、シリンダ筒２８内の地下水は、摺動筒部５３の弁収容室５４から給水孔５７を通ってシリンダ筒２８の上方に揚水される。
【００３６】
前記作動弁体５１がシリンダ筒２８内を上昇すると、作動弁体５１と下部連結筒３１との間に生じた負圧で作動弁体５１の上部弁体５８は６１弁座を閉口し、下部弁体３４が下部連結筒３１の固定弁座３３を開口してシリンダ筒２８内に地下水が流入する。この動作を繰返すことにより、地下水は順次汲み上げられてシリンダ筒２８から連結筒４４を通って揚水パイプ８から手押しポンプ４に揚水されて吐出口Ｎから流出させる。
【００３７】
したがって、手押しポンプ用揚水路Ｙは、図１０に示すごとく、ポンプ機構３０の作用により、外筒１６の下部支持筒１７に設けた吸込口１９から吸込パイプ３８に流入する地下水は、下部連結筒３１の固定弁座３３が開口して吸込孔３２から弁保持部３５の流入孔３６を通ってシリンダ筒２８内に揚水され、作動弁体５１が降下すると、固定弁座３３は下部弁体３４で閉口されてシリンダ筒内の地下水が、開口した作動弁体５１の弁座６１から収容室５４を通って吸水孔５７からシリンダ筒２８の上方に揚水され、さらに上部連結筒４１から連結筒４４と揚水パイプ８を通って手押しポンプ４の吐出口Ｎから吐出する。
【００３８】
複合揚水ユニット１５内に水中ポンプ用揚水回路Ｘと手押しポンプ用揚水回路Ｙをそれぞれ別回路でコンパクトにまとめて形成し、該複合揚水ユニットの下部に水中ポンプ１２を連設し、且つ、前記水中ポンプ用揚水回路Ｘと手押しポンプ用揚水回路Ｙとを一本の揚水パイプ８に連通させて揚水可能にしたことにより、深井戸用ポンプとして簡単にケーシングパイプに取付けることができるので工事期間が短く安価で経済的である。
【００３９】
尚、水中ポンプ駆動用の電源は、通常一般家庭用電源を使用するが、災害時など一般家庭用電源が停電になった場合には、ソーラーパネルからの電源を利用できるよう、該水中ポンプの電源接続部に直接、またはソーラ電源用の適宜コネクター（図示せず）を介して接続して使用できるよう、該水中ポンプの電力供給部分にソーラー電源用接続部を設けてある。しかし、天候が曇っている場合は、人力で手押しポンプ４を作動させて地下水を揚水することができるという利点を有するものである。
【符号の説明】
【００４０】
１      タンデム式手押しポンプ
４      手押しポンプ
５      作動ハンドル
５ａ    ハンドル軸
６      分岐管    
７      切換弁
８      揚水パイプ
８ａ    ポンプ弁座
９      ピストン軸
１０    弁体
１２    水中ポンプ
１３    揚水口
１５    複合揚水ユニット
１６    外筒
１７    下部支持筒
１８    揚水路
１９    吸込口
２４    上部支持筒
２８    シリンダ筒
３０    ポンプ機構
３１    下部連結筒
３２    吸込孔
３３    固定弁座
３４    下部弁体
３５    弁保持部
３６    流入孔
３８    吸込パイプ
４１    上部連結筒
４２    流通孔
４４    連結筒
４５    連通口
５１    作動弁体
５３    摺動筒部
５４    弁収容室
５７    給水孔
５８    上部弁体
５９    弁座筒
６０    吸込孔
６１    弁座
Ｘ      水中ポンプ用揚水路
Ｙ      手押しポンプ用揚水路
【図１】
0003178691.tif 000003
【図２】
0003178691.tif 000004
【図３】
0003178691.tif 000005
【図４】
0003178691.tif 000006
【図５】
0003178691.tif 000007
【図６】
0003178691.tif 000008
【図７】
0003178691.tif 000009
【図８】
0003178691.tif 000010
【図９】
0003178691.tif 000011
【図１０】
0003178691.tif 000012
【図１１】
0003178691.tif 000013